(57)【要約】【課題】鳴動させたくない受信時間帯に受信した受信メールに鳴動させたくないキーワードが含まれているときには着信音を鳴動させないようにする。【解決手段】受信時刻判別手段によって受信メールを受信した受信時刻が着信音を鳴動させるかどうかの時間帯であるかを判定し、さらにキーワード判別手段によってその受信メールに鳴動させたくないキーワードが含まれているかどうかを判別し、このようなキーワードが含まれている受信メールのときには着信音出力制御部によって着信音を鳴動させないようにする。【選択図】  図２
2004207959.tif 000002
【特許請求の範囲】
【請求項１】
所定の時間帯に受信した受信メール情報に所定のキーワードが含まれているどうかを判別するステップと、このステップによって前記キーワードが含まれている受信メールであることが判明した場合、着信音を鳴動させないようにしたことを特徴とする受信メール通知方法。
【請求項２】
メールアドレスを記憶するメールアドレス記憶部と、受信メールに所定のキーワードが含まれているかどうかを判別するキーワード判別手段と、所定の時間帯を記憶する記憶手段と、受信メールの受信時刻が前記記憶部に記憶されている時間帯内であるかどうかを判別する受信時刻判別手段と、前記キーワード判別手段によって前記所定のキーワードが含まれていることを判別し、さらに前記受信時刻判別手段によって前記時間帯内に受信したと判別した受信メールを受信した場合、着信音を鳴動させないようにする着信音出力制御部とを備えたことを特徴とする受信メール通知装置。
【発明の詳細な説明】
【０００１】
【発明の属する技術分野】
この発明は、移動体通信端末における受信メール通知方法及び受信メール通知装置に関するものであり、特に、鳴動させたくないキーワードが含まれている受信メールが鳴動させたくない受信時間帯に受信したときのみメール着信音を鳴動させないようにしたものである。
【０００２】
【従来の技術】
近年、携帯端末やＰＨＳ等の移動体通信端末の高機能化が進み、インターネットを介してパーソナルコンピュータ等の情報端末とも電子メールのやりとりが可能となっている。
【０００３】
また、この種の電子メールのやりとりを行う場合には、受信メールのメールタイトルから、受信メールが返送メール、転送メールのいずれかであることが判別された場合に、予め返送メールと転送メールにしたがって異なる着信音で鳴動する。（例えば、特許文献１）。
【特許文献１】特開２００２−２４４９８０号公報
【発明が解決しようとする課題】
しかしながら、上記従来技術にあっては、特に、メールの利用率が高まり、様々なメールが着信する現状では、例えば、受信時間帯に関係なくメールが転送されてくるために睡眠中、会議中または映画、演劇を観ているとき等、受信者の意思と関係なく着信メールが鳴動したりする。また、受信者が例えば、広告メールのように積極的に読みたくないメールが送られてくる場合があり、その度に着信メールが鳴動するために不快感を感じることがある。
【０００４】
そこで、この発明は、所定の時間帯に受信した受信メールに所定のキーワードが含まれている場合に、着信音を鳴動させないようにした受信メール通知方法及び受信メール通知装置を提供するものである。
【０００５】
【課題を解決するための手段】
上記課題を解決するために、請求項１に記載した発明は所定の時間帯に受信した受信メール情報に所定のキーワードが含まれているどうかを判別するステップと、このステップによって前記キーワードが含まれている受信メールであることが判明した場合、着信音を鳴動させないようにしたことを特徴とする。
【０００６】
このように構成することで、受信者が適宜、受信メールを鳴動させたくないキーワードおよび鳴動させたくない受信時間帯を設定することによって必要とする受信メールだけを厳選して着信音を鳴動させる。
【０００７】
請求項２に記載した発明は、メールアドレスを記憶するメールアドレス記憶部と、受信メールに所定のキーワードが含まれているかどうかを判別するキーワード判別手段と、時間帯を記憶する記憶手段と、受信メールの受信時刻が前記記憶部に記憶されている時間帯内であるかどうかを判別する受信時刻判別手段と、前記キーワード判別手段によって前記所定のキーワードが含まれていることを判別し、さらに前記受信時刻判別手段によって前記時間帯内に受信したと判別した受信メールを受信した場合、着信音を鳴動させないようにする着信音出力制御部とを備えた受信メール通知装置を提供する。このように構成することで、受信者が適宜、受信メールに鳴動させたくないキーワードおよび鳴動させたくない受信時間帯を設定することによって必要とする受信メールだけを厳選して着信音を鳴動させる。
【０００８】
【発明の実施の形態】
以下、この発明の実施形態を図面と共に説明する。
【０００９】
図１は、この発明の実施形態の移動体通信端末の構成図である。移動体通信端末１はメールセンタにアクセスすることでインターネットを介して文字メッセージを送受信することができるものである。また、メールの有無を鳴動音、振動、可視表示の中から選択した通知方法により知ることができ、所望のメールを自動で取り込むことができる。
【００１０】
図１において、送受信回路部１１は、移動体通信端末１における送受信処理をＣＰＵ１２の制御によって実行する回路であり、この送受信回路部１１にアンテナ１６が接続されている。
【００１１】
ＣＰＵ１２は、ＲＯＭ１７に記述されたプログラムにしたがって操作キー１８及び送受信回路部１１からの制御信号により動作し、送受信回路部１１、ＬＣＤドライバ２０及び音声処理部１３を制御して、音声通信における呼処理を行う。
【００１２】
また、ＣＰＵ１２は、メールセンターに届いている自分宛のメールリストの受信操作が行なわれると、後述する通知方法にしたがって、メールの受信を通知する。尚、ＣＰＵ１２はメールセンターに送信したＩＤ（認証番号）やパスワードが間違っていてメールセンターとの接続を拒否された場合にも、可聴音、振動、可視表示の中からユーザにより選択された通知方法にしたがってその旨を通知する。
【００１３】
ＣＰＵ１２にはＲＡＭ１９が接続されている。ＲＡＭ１９はＲＯＭ１７に記述されたプログラムを実行するときのワークエリアとして使用することで、音声通信における呼処理や各種機能を実行する。また、ＣＰＵ１２にはフラッシュメモリ２４が接続され、作成した送信用の文字メッセージやメールセンターから取り込んだ文字メッセージ、またはアドレス帳に登録するデータ等を、不揮発性メモリであるこのフラッシュメモリ２４に記憶する。
【００１４】
ＬＣＤドライバ２０はＣＰＵ１２の制御に基づいて液晶ディスプレイであるＬＣＤ２２を駆動しこれの表示制御を行う。すなわち、ＬＣＤドライバ２０は、ＣＰＵ１２からの制御信号に対応する文字パターン（数字も含む）やアイコン（図形）パターンをフォントＲＯＭ２１から読み出し、ＬＣＤ２２に表示する。
【００１５】
音声処理部１３は音声信号の増幅処理を行う回路であり、スピーカ１４およびマイク１５に接続されている。
【００１６】
バイブレータ２３は、ＣＰＵ１２の制御によって、例えば鳴動音に代わり電話機全体を振動させて着信をユーザに知らせる振動装置である。
【００１７】
音声合成ＬＳＩ２５は、ＣＰＵ１２の制御によって、デジタル化した音声信号または音声を生成する規則が記憶されている音声ＲＯＭ２６のデータをもとにして音声の合成や組み合わせを行う回路である。音声合成ＬＳＩ２５により人工的に作りだされた音声は、ＣＰＵ１２を介して音声処理部１３に送られ、スピーカ１４より出力される。
【００１８】
ＬＥＤ３０は、携帯電話機操作面の上部に位置する例えば赤色ＬＥＤであり、ＣＰＵ１２の制御により充電時や着信時に点灯または点滅する可視表示部である。尚、ＩＤやパスワードが違っていた場合も同様に通知する。
【００１９】
次に、図２に示すのは、この発明の要旨をなす機能ブロック図である。この機能ブロック図は、主として前記ＣＰＵ１２における処理を示すものである。
【００２０】
図２において、メールアドレス記憶部２４は受信したメールアドレスを記憶するものであり、前記フラッシュメモリ２４に対応している。
【００２１】
着信音記憶部２５はメールアドレスに対応した着信音を記憶するものであり、フラッシュメモリ２４に対応している。
【００２２】
時間帯記憶部２３は受信した受信メールの着信音を鳴動させたくない時間帯を記憶するものであり、フラッシュメモリ２４に対応している。
着信音出力制御部２２は着信音を鳴動させたくないない時間帯に受信した受信メールに鳴動させたくないキーワードが含まれている受信メールを受信した場合には着信音を鳴動させないように制御するものであり、ＣＰＵ１２に対応している。
【００２３】
次に、図３のフローチャートに基づいて、メール受信の処理について説明する。
【００２４】
ステップＳ１において、受信メール情報に受信メールの受信時刻に応じて着信音を鳴動させるかどうかを判定するための判定エリアが設けられており、この判定エリアから受信時刻によって着信音を鳴動させるかどうかを判定し、その判定結果が「ＹＥＳ」である場合、つまり、受信メールの受信時刻に応じて着信音を鳴動させない場合にはステップＳ２に進む。ここで、受信メールを受信した現在の受信時刻を取得する処理を行い、ステップＳ３にすすむ。ステップＳ３において、図２で示される時間帯記憶部２３に記憶されている受信時刻が受信時刻判別手段２１によって着信音を鳴動させる時間帯であるかどうかを判定し、「ＹＥＳ」である場合、つまり、着信音を鳴動させたくない時間帯のときには着信音を鳴動させない処理を行うためにステップＳ１１にすすむ。
【００２５】
ここで、請求項に記載されている所定の時間帯とは、着信音を鳴動させたくない時間帯のことであり、例えば、睡眠中、会議または映画、演劇等を観ている時間帯のことである。
【００２６】
ステップＳ４において、受信メール情報に送信者情報によって着信音を鳴動させるかどうかを指定する判定エリアが設けられており、この判定エリアから着信音を鳴動させるかどうかを判定し、その判定結果が「ＹＥＳ」である場合、つまり、送信者情報によって着信音を鳴動させたくない指定があるときには、ステップＳ５に進む。ここで、図２で示されているメールアドレス記憶部に記憶されている受信メール情報から送信者情報を取得する処理を行い、ステップＳ６にすすむ。ステップＳ６において、この送信者情報に送信者が着信音を鳴動させるかどうかの指定が有りか否かを判定し、「ＮＯ」である場合、つまり、送信者が着信音を鳴動させたくないときには着信音を鳴動させない処理を行うためにステップＳ１１にすすむ。
【００２７】
ステップＳ７において、受信メール情報に表題情報によって着信音を鳴動させるかどうかを指定する判定エリアが設けられており、この判定エリアから着信音を鳴動させるかどうかを判定し、その判定結果が「ＹＥＳ」である場合、つまり、表題情報に着信音を鳴動させない指定があるときにはステップＳ８にすすむ。ステップＳ８において、受信メールから表題情報を取得するための処理を行い、ステップＳ９にすすむ。ステップＳ９において、表題情報に無鳴動キーワードがあるかどうかを判定し、その判定結果が「ＹＥＳ」である場合、つまり、着信音を鳴動させたくないキーワードが含まれているときにはステップＳ１１に進み、着信音を鳴動させないようにするための処理を行う。ここで、請求項に記載されている所定情報とは、着信音を鳴動させたくないメールのことであり、例えば、広告メール、迷惑メール等のことである。特に、広告メールは表題に「！広告！」というキーワードが含まれているかどうかによって判別することができる。
【００２８】
ステップＳ１１において、メール着信音を鳴動させないような処理を行い、ステップＳ１２にすすむ。ステップ１２において、鳴動音、音量情報を設定し、鳴動音、音量情報により受信メール通知処理を行う。なお、受信メールの着信音について説明してきたが、鳴動音に代わりに電話機全体を振動させて着信をユーザに知らせるバイブレータ２３によって通知することにも応用できる。
【００２９】
【発明の効果】
以上説明してきたように、本発明は着信音を鳴動させたくない受信時間帯に受信した受信メール情報に着信音を鳴動させたくないキーワードが含着信音を鳴動させないようにしているために必要とするメールだけを厳選して着信音を出力させることができる。
【図面の簡単な説明】
【図１】この発明の実施形態の移動体通信端末の構成図である。
【図２】この発明の要旨をなす機能ブロック図である。
【図３】この発明の実施形態のメール受信処理を示すフローチャート図である。
【符号の説明】
２１  受信時刻判別手段
２２  着信音出力制御部
２３  時間帯記憶部
２４  メールアドレス記憶部
２５  着信音記憶部
２６  キーワード判別手段
【図１】
2004207959.tif 000003
【図２】
2004207959.tif 000004
【図３】
2004207959.tif 000005